(57)【要約】      （修正有）【課題】ディスクから垂直状に突出したクリーニングブラシがソフトタッチでレンズ表面のチリ・埃を払拭することができるクリーナーを提供する。【解決手段】ディスク１に取り付けた糸状のブラシ１０が逆Ｌ字形・逆Ｕ字形等で構成され、垂直部１２が盤面にあけた貫通孔２を通って先端部が光ピックアップのレンズに接触することでレンズ表面の埃を払拭する光ディスクレンズクリーナーにおいて、貫通孔２の下端を横方向に広げて開口溝３を形成し、盤面より突出したブラシ垂直部１２が貫通孔２の開口溝３で屈曲自在となることを特徴とする。【選択図】図１
0003145145.tif 000002
【実用新案登録請求の範囲】
【請求項１】
ディスクに取り付けた糸状のブラシが逆Ｌ字形・逆Ｕ字形等で構成され、垂直部が盤面にあけた貫通孔を通って先端部が光ピックアップのレンズに接触することでレンズ表面の埃を払拭する光ディスクレンズクリーナーにおいて、前記貫通孔の下端を横方向に広げて開口溝を形成し、盤面より突出したブラシ垂直部が貫通孔の開口溝で屈曲自在となることを特徴とする光ディスクレンズクリーナー。
【考案の詳細な説明】
【技術分野】
【０００１】  この考案は、清掃時にブラシが光ピックアップのレンズ面にソフトタッチする光ディスクレンズクリーナーに関する。
【背景技術】
【０００２】  清掃ブラシをディスクに植設し、回転するディスクから突出したブラシを下方に位置する光ヘッドの対物レンズに接触させてレンズの表面に付着した微細なチリ埃などを吹き飛ばすことを目的としたレンズクリーナーは多数提案されている。レンズに対してブラシの接触度が強いと対物レンズに対する負荷がかゝりすぎるという不具合があり、逆に接触度が弱いと十分なクリーニングができないといった問題がある。そこでブラシをディスクに対し傾斜状に取り付けたもの（例えば特許文献１参照）や、ブラシの一部を傾斜形成したもの（例えば特許文献２参照）、或いはブラシの基部をディスクに回動自在となるように取り付けて風圧によって立ち上がるように構成した技術などもありクリーニングが円滑に行えるように種々工夫されている。
【特許文献１】実開平４−１３２６１９号公報
【特許文献２】特開平１０−２７５４４０号公報
【特許文献３】登録実用新案第３０４９８２８号公報
【考案の開示】
【考案が解決しようとする課題】
【０００３】  前記した特許文献１に記載の技術は、ディスク面に回転方向と直行する向きにブラシを設けたクリーナーにおいて、取り付け溝に基部を接着したブラシ端部が、対面するレンズと逆向きであり、且つ回転方向に沿うよう傾斜状に突出させた構成のものである。この技術によるとディスクに取り付け溝を設けた上、その取り付け溝に接着剤を用いてブラシを固定するという手段を採るので横長にしたブラシを接着剤で固定する構造のクリーナーには適してもディスクの反対側から垂設した糸状のブラシには妥当しない。また横長に形成したブラシと同じ長さだけ取り付け溝のあき部分が生ずるためこの個所により信号にも影響するなどの懸念がある。【０００４】  特許文献２に記載の技術は、払拭部の基部をディスクに対して垂直に植設し、先端部分を一定方向に傾斜（湾曲）させて形成したことを特徴としている。先端部分を傾斜させるためにはその部分が傾斜できる素材とすることが必要であり、そのために払拭部が発泡体又は弾性体の合成樹脂で形成することが条件となる。したがってこの技術は細毛群で構成される糸状ブラシに適用させることは困難であり、また溝内に接着剤等を用いて払拭部の基部を固着する手段を採用するクリーナーには適しても糸状ブラシをディスクの反対側から垂設する形式のもの（現在ではこれが主流）には妥当しないという不具合がある。【０００５】  特許文献３に記載の技術は、払拭体であるブラシを手で触れたり床などにおいても倒れたり押しつぶされることがないクリーナーの考案である。そのためにブラシを固定する植毛台を、ディスクに取り付けた固定台とヒンジを介して結合するとしたものであり、こうすることによりディスクの回転により発生する風圧でヒンジを支点にブラシがディスクより持ち上がってレンズと接触することを可能としたものである。即ちこの技術も風圧に応じてブラシが適度の柔軟性をもってレンズと接触できることを特徴とする一面を有するものであるが、ブラシを取り付けるためにヒンジを設けることは構造が複雑化して製作も容易でないという問題と、植毛台やヒンジを取り付けた分ディスク面に凸部が形成されることとなり、ディスクの収納空間が狭いと実行できないという不具合がある。【０００６】  現在汎用されているクリーナーは、図６（ａ）のようにディスク５１に貫通孔５２が形成され、水平部６１をディスク５１上面に固定した糸状のブラシ６０の垂直部６２がディスク下面より突出するとした構成である。このような例の場合、ディスクと光ピックアップレンズとの間に余裕のある従来型プレーヤーではさほどの問題は生じないものの、最新型の例えばブルーレイディスク対応機器のようにブラシとレンズ間の距離が接近しているとクリーニング時に光ピックアップのレンズ７０に短いブラシ垂直部６２が接触したときに、垂直部６２は（ｂ）のように貫通孔５２の下端縁５２ａより折り曲がる形となる。つまり垂直状であったブラシ下部がレンズ７０によって圧接を受けて該部に余分な負荷がかゝり、このためブラシ垂直部６２が歪曲変形するおそれと、レンズ７０との接触抵抗が大きくなるので場合により信号にエラーを生ずるという問題があった。【０００７】  本考案は上記従来の事情に鑑みてなされたも��で、その目的とするところは、頗る簡単な構造で対物レンズに対するブラシの接触度合いを適切なものとすべく創案されたものであり現在汎用されている垂下状に取り付けられた糸状ブラシに実施するに好適な構成としたことを意図している。
【課題を解決するための手段】
【０００８】  上記目的を達成するため本考案は、ディスクに取り付けた糸状のブラシが逆Ｌ字形・逆Ｕ字形等で構成され、垂直部が盤面にあけた貫通孔を通って先端部が光ピックアップのレンズに接触することでレンズ表面の埃を払拭する光ディスクレンズクリーナーにおいて、前記貫通孔の下端を横方向に広げて開口溝を形成し、盤面より突出したブラシ垂直部が貫通孔の開口溝で屈曲自在となることを特徴とする。
【考案の効果】
【０００９】  従来の貫通孔はブラシを垂下するために垂直状としたものであるから、ブラシの突出部分がレンズに接触すると貫通孔の下端縁を支点に傾斜することになり、このためレンズがブラシに近接すると接触抵抗が強くなってブラシの突出部を無理に曲げたりレンズへの接触度合いが過ぎるといった不具合をもたらすこともあったが、本考案では貫通孔下部に開口溝が存在するためブラシ下部の動きに余裕ができ、レンズとの接触時にブラシの傾きに無理な動きがなく、レンズに対する接触抵抗が程よくなってレンズ表面の埃を確実に払拭するとともにブラシに無理な負荷がかゝらないためその寿命を長く保つことができる。しかも開口溝の幅はわずかなスペースですむため読み取りエラーのような不具合も起きず、製作も簡単にできてコスト高にもならない実益がある。
【考案を実施するための最良の形態】
【００１０】  図面を参照して本考案を説明すると、図１は本考案の要部を示したもので、１はディスクであり、１０は細毛群で束ねられた糸状のブラシである。該ブラシ１０は断面逆Ｌ字形をしていてディスク１の上面に上端水平部１１が密着している。水平部１１は上面に位置する粘着剤付き抑え片２０よってディスク１に固定される。【００１１】  ディスク１には貫通孔２が形成され、ブラシ１０の垂直部１２が貫通孔２に挿通されてディスク１と直角状に垂下している。貫通孔２の下部には横長の開口溝３が形成され、レンズとの接触で垂直部１２が左右に屈曲しても開口溝３があるため垂直部１２の動作に障害となるものはない。開口溝３の長さａは１ｍｍ程度であり、深さｂはディスク１の下面から０．５ｍｍ程度である。そしてディスク１より突出したブラシ１０の垂直部１２の突出長さｍはディスク面から１ｍｍとなる。但しブルーレイのようにディスクとブラシ間の距離が接近している場合にはブラシ１０の垂直部１２の突出長さも短くなることは当然である。【００１２】  図２は下面から見たディスク１の概略を示したもので、開口溝３の中央に貫通孔２が位置する形となる。貫通孔２の孔径は０．５ｍｍで開口溝３の幅ｃもほゞ０．５ｍｍであり、開口溝３は細い楕円形状となる。【００１３】  図３はブラシ１０が光ピックアップのレンズ３０をクリーニングする概略を示すもので、レンズ３０に接触するとブラシ１０の垂直部１２の下部はレンズによって圧接された方向に屈曲する。このとき屈曲部１２ａは開口溝３が恰も遊孔のように機能して動きが束縛されないためレンズ３０にソフトタッチして表面の埃を払拭する。屈曲部１２ａの支点がディスク１に形成した開口溝３の深さｂの位置になったことと、長さａの片側分だけ遊びが生じていることで屈曲部１２ａはレンズ３０と接触し傾斜しても負荷がかゝらず、またレンズ３０に対しても接触抵抗の負担が軽くなるため信号にエラーを生ずる懸念は一掃され、ブラシ１０とレンズ３０の双方にとって良好な関係を維持できる。【００１４】  聞口溝３は図４のようにブラシ１０が傾斜する方向である一方側に形成するようにしても良い。ディスク１０の回転方向は時計回り（レンズ側から見たら逆向き）であるから、生ずる風圧も一定方向となるので、必ずしも前記実施形態のようにブラシ垂直部１２の左右に形成しなくても支障は生じないからであり、また図示はしないがスロットインの中に差し込む形式のディスクではどの方向から負荷がかゝっても対応できるように開口溝３を楕円形ではなく円形とすることが好ましいこと勿論である。【００１５】  本考案は糸状のブラシ１０の垂直部１２がディスク１の貫通孔２より突出する形体のものであれば図５のような逆Ｕ字形ブラシ１０′にも妥当する。この場合は当然ながら左右２カ所に垂直部１２があり、貫通孔２も２カ所となるので、夫々の貫通孔２の下部に開口溝３が形成される。【００１６】  糸状のブラシ１０は前記した形状以外にも例えばＴ字形などのものにも妥当し、また貫通孔２、開口溝３などの数値はあくまでも一例を示したにすぎず、本考案の目的効果を奏する範囲において任意の数値が選択されるものである。
【図面の簡単な説明】
【００１７】
【図１】本案要部の断面図である。
【図２】本考案におけるディスク下面の説明図である。
【図３】本考案の使用例を示す断面図である。
【図４】本考案の他の例を示す断面図である。
【図５】ブラシを逆Ｕ字形とした本案の他の形態を示す断面図である。
【図６】従来例を示し、（ａ）は断面図、（ｂ）は使用状態断面図である。
【符号の説明】
【００１８】１    ディスク
２    貫通孔
３    開口溝
１０  ブラシ
１１  水平部
１２  垂直部
【図１】
0003145145.tif 000003
【図２】
0003145145.tif 000004
【図３】
0003145145.tif 000005
【図４】
0003145145.tif 000006
【図５】
0003145145.tif 000007
【図６】
0003145145.tif 000008